(57)【要約】【課題】衣服への取付けが簡便であるとともにボタン孔への掛け外しがしやすく、かつデザイン上の制約を受けることもないボタンを提供する。【解決手段】ボタン本体１０に穿設された複数の糸通し孔１１を備え、該複数の糸通し孔１１に通した糸で衣服に縫い付けられるボタン１であって、糸通し孔１１を避けて、複数の糸通し孔１１相互間におけるほぼ中心部の領域であるボタン本体１０の裏面に突出部２０を形成する。突出部２０の最外縁部２１は、複数の糸通し孔１１に外接する仮想円Ｃ１よりも内側に位置する。【選択図】図１
2016063920.tif 000002
【特許請求の範囲】
【請求項１】
ボタン本体に穿設された複数の糸通し孔を備え、該複数の糸通し孔に通した糸で衣服に縫い付けられるボタンであって、前記糸通し孔を避けて、前記複数の糸通し孔相互間におけるほぼ中心部の領域であるボタン本体の裏面に突出部を形成したボタン。
【請求項２】
前記突出部の最外縁部は、前記複数の糸通し孔に外接する仮想円よりも内側に位置する、請求項１に記載のボタン。
【請求項３】
前記突出部は、ボタン本体の裏面側から見てほぼＸ字状を呈するように形成された、請求項１又は２に記載のボタン。
【発明の詳細な説明】
【技術分野】
【０００１】
本発明は、ワイシャツ、ブラウス、肌着類、その他の衣服に糸で縫い付けられるボタンに関する。
【背景技術】
【０００２】
従来、ボタン本体の中央部に複数の糸通し孔が穿設され、該糸通し孔に糸を通して縫着により衣服に取り付けられるボタンは周知である。このようなボタンは、ボタン本体の裏面が衣服の生地の表面に密着した状態となるため、幼児や高年者等にはボタン孔への掛け外しがしにくいという問題があった。
上記のような問題を考慮したものとして、特許文献１には、「台板部と、その台板部に立設されて衣服のボタン穴に通される脚部と、その脚部の先端に設けられて衣服のボタン穴に掛止される頭部とによりボタン本体が構成されて、その台板部が衣服の生地の表面に当接された状態で止着されるように構成されたことを特徴とするボタン。」が記載されている（特許請求の範囲）。
しかし、上記特許文献１に記載されたボタンは、台板部を衣服の生地の表面に止着するという使用方法上の制約があるため、衣服への取付けが必ずしも容易とはいえず、また、台板部を備えるというデザイン上の制約を伴うとともにボタンの体積も大きいため材料費が嵩むものとなる。
特許文献２には、「平面視で楕円形状の輪郭を備え、中心部に複数の糸通し孔が形成され、少なくとも長軸方向の両端部側で、表面が水平面より上方に突出する傾斜面に形成されるとともに表面と裏面の厚みが次第に薄くなるように形成されている衣類用のボタン。」が記載されている（特許請求の範囲）。
しかし、上記特許文献２に記載されたボタンは、ボタンの平面形状及び断面形状が特定されたものであるため、必然的にデザイン上の制約を伴うものである。
また、特許文献３には、「ボタン本体に糸通し用通孔を設け、その通孔の裏側の開口部の周りを囲むように短い環状突部或いはそれに代わるボタン取り付け用糸の保護用部分を形成してなるボタン。」が記載されている（特許請求の範囲）。
上記特許文献３に記載されたボタンは、前記環状突部の内側に位置するボタン取り付け用糸を前記環状突部により保護しうる効果があるというものであり、取付け糸の外側に環状突部があるため、同じ外径のボタンを基準とした場合、通常のボタンよりも、ボタンの掛け外しをする際にボタンを摘む部分が少なくなるため、その点においてボタンの掛け外しがしにくくなるものである。
なお、特許文献４に記載されているように、ボタン本体の裏側に脚部（軸部５）を設けて、その脚部を衣服に対し止着するようにしたボタンは知られているが、衣服に留め具（リベット等）を取り付けて、その留め具に脚部を連結するという複雑な構造であるため、衣服への取付けが容易ではなく、ジーンズ等のボタンには適するもワイシャツ等に用いられる比較的小径なボタンには適さない。
【先行技術文献】
【特許文献】
【０００３】
【特許文献１】特開２００４−１７３７３２号公報
【特許文献２】特開２０１２−５０６５６号公報
【特許文献３】特開平６−９０８０４号公報
【特許文献４】登録実用新案第３１８９１７４号公報
【発明の概要】
【発明が解決しようとする課題】
【０００４】
本発明は上記背景技術に記載した問題点を解決するもので、衣服への取付けが簡便であるとともにボタン孔への掛け外しがしやすく、かつデザイン上の制約を受けることもないボタンを提供することを課題とする。
【課題を解決するための手段】
【０００５】
（１）ボタン本体に穿設された複数の糸通し孔を備え、該複数の糸通し孔に通した糸で衣服に縫い付けられるボタンであって、前記糸通し孔を避けて、前記複数の糸通し孔相互間におけるほぼ中心部の領域であるボタン本体の裏面に突出部を形成したボタンである。
（２）前記突出部の最外縁部は、前記複数の糸通し孔に外接する仮想円よりも内側に位置するボタンである。
（３）前記突出部は、ボタン本体の裏面側から見てほぼＸ字状を呈するように形成されたボタンである。
【発明の効果】
【０００６】
（１）本発明によれば、ボタン本体に穿設された糸通し孔に通した糸でボタンを衣服に縫い付けるという簡便な方法によりボタンを衣服に取り付けることができるとともに、ボタンを糸で衣服に縫い付けるとき、ボタン本体の裏面に形成された突出部が衣服の生地に当接するため、突出部を除くボタン本体の裏面と生地との間に隙間ができた状態でボタンが衣服に取り付けられることとなる。このため、ボタンの掛け外しを行う際、ボタンと生地との間に指を入れやすくかつボタンを指で摘みやすく、ボタン孔への掛け外しが簡便である。
また、突出部は、複数の糸通し孔相互間におけるほぼ中心部の領域であるボタン本体の裏面に形成されるため、ボタン本体の表面形状等、デザイン上の制約を受けることもない。
また、突出部は、複数の糸通し孔相互間におけるほぼ中心部の領域であるボタン本体の裏面に形成されるため、複数の糸通し孔を通したボタンの取付け用糸の周りに幾重にも糸を巻き付ける強固な取付方法を採用することもできる。特許文献３に記載されたボタンではこのような取付方法は採用することができない。
（２）突出部の最外縁部は、複数の糸通し孔に外接する仮想円よりも内側に位置する構成により、ボタン孔への掛け外しの容易さを損なうことなく、複数の糸通し孔を通したボタンの取付け用糸の周りに幾重にも糸を巻き付ける強固な取付方法を確実に採用することができる。
（３）突出部は、ボタン本体の裏面側から見てほぼＸ字状を呈するように形成された構成により、突出部が衣服の生地に対して安定した状態で当接し、ボタンを衣服に確実に取り付けることができる。
【図面の簡単な説明】
【０００７】
【図１】ボタン１の、（ａ）は平面図、（ｂ）は正面図、（ｃ）は（ａ）のｃ−ｃ断面図、（ｄ）は背面図である。
【図２】ボタン１の背面側から見た、突出部２０の説明図である。
【図３】ボタン１を衣服に取り付けた状態を示す断面図である。
【図４】ボタン１の使用例の説明図である。
【発明を実施するための形態】
【０００８】
ボタン本体に穿設された複数の糸通し孔を備え、該複数の糸通し孔に通した糸で衣服に縫い付けられるボタンにおいて、前記糸通し孔を避けて、前記複数の糸通し孔相互間におけるほぼ中心部の領域であるボタン本体の裏面に突出部を形成した。
以下、実施例を図面に基いて説明する。
【実施例】
【０００９】
ボタン１は、円板状のボタン本体１０と、ボタン本体１０の裏面に形成された突出部２０とを備えてなる。ボタン本体１０と突出部２０とは、一体的に形成することが好ましいが、夫々別々に形成したものを接着等の手段で一体化してもよい。
ボタン１の平面形は、円形に限られるものではなく、楕円形、多角形等とすることもできる。
ボタン１の素材は、一般的に合成樹脂が用いられるが、金属、ガラス、木・貝等の天然素材、その他の適宜素材を使用することができる。
【００１０】
ボタン本体１０の中央部には、ボタン本体１０の表面と裏面とを貫通する複数の糸通し孔１１が穿設されている。本実施例では４つの糸通し孔１１が設けられている。複数の糸通し孔１１は、通常、ボタン本体１０の中央部に設けられるが、ボタン本体１０の平面形に対し、偏心した位置でもよい。ボタン通し孔１１の数は通常２又は４個であるが、３個、５個等の奇数個でもよい。
ボタン本体１０の表面の外周部には、ボタン通し孔１１が設けられる部位よりも表面側に向けて出っ張った段部１２が設けられている。これはボタン１を摘みやすくするためであり、公知の態様である。
【００１１】
ボタン本体１０の裏面には、糸通し孔１１を避けて、複数の糸通し孔１１，１１，１１，１１相互間におけるほぼ中心部の領域に突出部２０が形成されている。
また、糸通し孔１１が設けられる部位の近傍から外周に向けてボタン本体１０の厚さが薄くなるようにテーパー部１３が形成されている。このテーパー部１３により、ボタン本体１０と生地との間への指の挿入がさらにしやすくなっている。
突出部２０は、偶数個の糸通し孔１１を備えたボタンにあっては、少なくとも、対向する位置関係にある糸通し孔１１，１１を結ぶ領域に亘って位置するように形成するのがよい。
突出部２０の高さＨ１は、ボタン本体１０の、糸通し孔１１が設けられる部位の厚みＨ２に対し０．８〜１．４の範囲が望ましい。
【００１２】
図２に示すとおり、突出部２０の最大外径となる最外縁部２１は、複数の糸通し孔１１に外接する仮想円Ｃ１よりも内側に位置するように形成するのが望ましい。また、複数の糸通し孔１１に内接する仮想円Ｃ２から外側に位置するように形成するのが望ましい。
本実施例では、突出部２０の最外縁部２１は、複数の糸通し孔１１に外接する仮想円Ｃ１と、複数の糸通し孔１１に内接する仮想円Ｃ２との中間位置に形成されている。また、突出部２０は、糸通し孔１１の部分では欠如しているため、ボタン本体１０の裏面側から見ると、ほぼＸ字状を呈するように形成されている。
なお、本実施例では、突出部２０は中実に形成されているが、中空あるいは、平面視、外縁部（輪郭部）のみを残して形成した筒状とすることも可能である。
【００１３】
図３は、ボタン１を衣服に取り付けた状態を示すものである。符号３０は衣服の生地である。符号４０は縫い付け用の糸を模式的に示している。
突出部２０の先端が生地に当接する状態で、ボタン本体１０に穿設された複数の糸通し孔１１に縫い付け用の糸４０を通し、生地３０にボタン１が縫い付けられている。
ボタン本体１０の裏面に形成された突出部２０が衣服の生地３０に当接するため、突出部２０を除くボタン本体１０の裏面と生地３０との間には、突出部２０の高さＨ１に相当する隙間ができる。したがって、ボタン１の掛け外しを行う際、ボタン１と生地３０との間に指を入れやすくかつボタン１を指で摘みやすく、ボタン孔への掛け外しが簡便となる。
また、図４に示すように、ボタン本体１０の一方端部を生地３０側へ押すと、生地３０は可撓性を有するので、突出部２０を支点としてボタン本体１０の他方端部側が生地３０とさらに離隔するように動くため、ボタン１の掛け外しは一層しやすくなる。
【符号の説明】
【００１４】
１  ボタン
１０  ボタン本体
１１  糸通し孔
１２  段部
１３  テーパー部
２０  突出部
２１  突出部の最外縁部
３０  生地
Ｃ１  複数の糸通し孔に外接する仮想円
Ｃ２  複数の糸通し孔に内接する仮想円
【図１】
2016063920.tif 000003
【図２】
2016063920.tif 000004
【図３】
2016063920.tif 000005
【図４】
2016063920.tif 000006